(57)【特許請求の範囲】
【請求項１】
薬剤が収容された薬剤収容容器と、該薬剤収容容器が着脱自在に取り付けられる揮散器本体とによって構成された薬剤揮散器において、
前記薬剤収容容器の一面に薬剤を揮散する為の揮散面を設定する一方、
前記揮散器本体に、使用状態において載置面に載置される載置部と、該載置部より起立した起立部とを設け、前記薬剤収容容器の前記揮散面を前記起立部に対向して起立させた起立状態で当該薬剤収容容器の下端部が挿入される挿入部を前記載置部に設定するとともに、前記薬剤収容容器の前記下端部を前記挿入部に挿入した状態で前記薬剤収容容器の上端部と係脱自在に係合する係合部を前記起立部に設定したことを特徴とする薬剤揮散器。
【請求項２】
前記揮散面に対向した前記薬剤収容容器の底面に内側へ後退した後退部を当該底面の周縁に沿って形成して、当該底面に段差部を形成する一方、
前記起立状態にある前記薬剤収容容器の下端部を、前記載置部に設けられた前記挿入部に挿入した状態で、当該載置部の上縁が前記段差部に当接するように、前記周縁から前記段差部までの長さ寸法を設定したことを特徴とする請求項１記載の薬剤揮散器。
【請求項３】
前記載置部は、底面に起立した前面と側面と背面とを備えてなり、前記前面と前記側面と前記背面とによって前記挿入部を形成したことを特徴とする請求項１又は２記載の薬剤揮散器。
【発明の詳細な説明】
【技術分野】
【０００１】
本発明は、芳香剤等の薬剤を揮散する薬剤揮散器に関する。
【背景技術】
【０００２】
従来、薬剤としての芳香剤を揮散する薬剤揮散器が知られている（例えば、特許文献１、特許文献２、特許文献３、特許文献４）。
【０００３】
これらの薬剤揮散器にあっては、薬剤を収容した容器体が着脱できるように構成されており、容器体を交換して使用できるように構成されている。
【特許文献１】実開昭５４−０８０８４６号公報
【特許文献２】実開昭５４−１１９８４６号公報
【特許文献３】実開昭６４−０１７６１２号公報
【特許文献４】実開平０７−０４３３３６号公報
【発明の開示】
【発明が解決しようとする課題】
【０００４】
しかしながら、このような従来の薬剤揮散器にあっては、容器体の取付構造としてねじ止め方式が採用されているため、交換時にねじ込み作業を要する。
【０００５】
これにより、交換作業が面倒であった。
【０００６】
本発明は、このような従来の課題に鑑みてなされたものであり、交換作業が容易な薬剤揮散器を提供することを目的とするものである。
【課題を解決するための手段】
【０００７】
前記課題を解決するために本発明の請求項１の薬剤揮散器にあっては、薬剤が収容された薬剤収容容器と、該薬剤収容容器が着脱自在に取り付けられる揮散器本体とによって構成された薬剤揮散器において、前記薬剤収容容器の一面に薬剤を揮散する為の揮散面を設定する一方、前記揮散器本体に、使用状態において載置面に載置される載置部と、該載置部より起立した起立部とを設け、前記薬剤収容容器の前記揮散面を前記起立部に対向して起立させた起立状態で当該薬剤収容容器の下端部が挿入される挿入部を前記載置部に設定するとともに、前記薬剤収容容器の前記下端部を前記挿入部に挿入した状態で前記薬剤収容容器の上端部と係脱自在に係合する係合部を前記起立部に設定した。
【０００８】
すなわち、揮散器本体に薬剤収容容器をセットする際には、前記薬剤収容容器の一面に設定された揮散面を前記揮散器本体の起立部に対向して配置するとともに、この起立状態にある前記薬剤収容容器の下端部を、前記揮散器本体の載置部に設定された挿入部へ挿入する。この状態において、前記薬剤収容容器の上端部を、前記揮散器本体の起立部に設定された係合部に係合する。
【０００９】
すると、前記薬剤収容容器は、前記起立状態において、その下端部が前記挿入に挿入された状態で支持される一方、上端部が前記係合部に係合された状態で前記揮散器本体にセットされる。
【００１０】
一方、前記揮散器本体から前記薬剤収容容器を取り外す際には、起立状態にある薬剤収容容器の上端部と前記揮散器本体の起立部に設定された係合部との係合を解除する。そして、前記薬剤収容容器の下端部を前記揮散器本体の挿入部から抜き取ることで、当該薬剤収容容器は、前記揮散器本体から取り外される。
【００１１】
また、請求項２の薬剤揮散器においては、前記揮散面に対向した前記薬剤収容容器の底面に内側へ後退した後退部を当該底面の周縁に沿って形成して、当該底面に段差部を形成する一方、前記起立状態にある前記薬剤収容容器の下端部を、前記載置部に設けられた前記挿入部に挿入した状態で、当該載置部の上縁が前記段差部に当接するように、前記周縁から前記段差部までの長さ寸法を設定した。
【００１２】
すなわち、起立状態にある薬剤収容容器の下端部を、載置部に設けられた挿入部に挿入した状態において、当該載置部の上縁を、前記薬剤収容容器の底面に設けられた段差部に当接することができる。これにより、前記薬剤収容容器の下端部は、前記挿入部への挿入量が規制される。
【００１３】
さらに、請求項３の薬剤揮散器では、前記載置部は、底面に起立した前面と側面と背面とを備えてなり、前記前面と前記側面と前記背面とによって前記挿入部を形成した。
【００１４】
すなわち、前記載置部は、底面に起立した前面と側面と背面とによって、上面が開口した箱形に形成されており、前記前面と側面と背面との各面が互いに補強し合うことによって、剛性が高められる。
【００１５】
また、万が一薬剤収容容器から薬剤が漏れ出した場合には、この薬剤を、箱形の載置部で受けることができる。このため、載置面を犯すことが無いという副次的な効果も得ることができる。
【００１６】
そして、前記載置部上縁を薬剤収容容器の段差部に当接させる場合には、前記前面と前記側面と前記背面とで閉断面形状を形成することにより、当該載置部上縁を前記薬剤収容容器の段差部に確実に当接させることができるとともに、不用意な外れを防止することができる。
【発明の効果】
【００１７】
以上説明したように本発明の請求項１の薬剤揮散器にあっては、起立状態にある薬剤収容容器の下端部を、揮散器本体の載置部に設定された挿入部へ抜き差しするとともに、前記薬剤収容容器の上端部を、前記揮散器本体の起立部に設定された係合部に係脱するだけで、前記薬剤収容容器を前記揮散器本体に脱着することができる。
【００１８】
このため、本体への容器体の着脱構造がねじによって構成された従来と比較して、前記薬剤収容容器の前記揮散器本体への着脱が容易となり、薬剤収容容器の交換作業を容易とすることができる。
【００１９】
また、請求項２の薬剤揮散器においては、起立状態にある薬剤収容容器の下端部を、載置部に設けられた挿入部に挿入した状態において、当該載置部の上縁を、前記薬剤収容容器の底面に設けられた段差部に当接することができる。
【００２０】
これにより、前記薬剤収容容器の下端部の前記挿入部への挿入量を規定することができる。このため、セット時において前記薬剤収容容器に設定された揮散面と前記揮散器本体の起立部との位置ズレを防止することができる。
【００２１】
さらに、請求項３の薬剤揮散器では、載置部を底面に起立した前面と側面と背面とによって上面が開口した箱形に形成することで、前記前面と側面と背面との各面が互いに補強し合い、当該載置部の剛性を高めることができる。
【００２２】
また、万が一薬剤収容容器から薬剤が漏れ出した際には、この薬剤を、箱形の載置部で受けることができるため、載置面を犯すことが無いという副次的な効果も得ることができる。
【００２３】
そして、前記載置部上縁を薬剤収容容器の段差部に当接させる場合には、前記前面と前記側面と前記背面とで閉断面形状を形成することにより、当該載置部上縁を前記薬剤収容容器の段差部に確実に当接させることができるとともに、不用意な外れを確実に防止することができる。
【発明を実施するための最良の形態】
【００２４】
以下、本発明の一の実施の形態を図に従って説明する。図１は、本実施の形態にかかる薬剤揮散器１を示す図であり、この薬剤揮散器１は、消臭剤、芳香剤、防虫剤、殺虫剤等の薬剤を揮散する装置である。
【００２５】
この薬剤揮散器１は、揮散器本体１１と該揮散器本体１１に交換可能に取り付けられる前記薬剤収容容器１２とによって構成されている。
【００２６】
前記揮散器本体１１は、使用時に起立される起立部２１と、該起立部２１の下端部に取り付けられ載置面に載置される載置部２２とによって構成されており、前記起立部２１は、前記載置部２２に対して起立して設けられている。この起立部２１は、図２に示すように、縦長の長方形板状に形成されており、下端の中央部を除く周縁には、図３にも示すように、裏面側に延出するフランジ２３が形成されている。
【００２７】
前記起立部２１の外側面である前面２５には、図２及び図３に示したように、短辺方向に延在する複数の凹溝２６，・・・が上下に並設されており、中間領域Ｍに位置する各凹溝２６，・・・内には、裏面側に貫通する開口部としての外スリット２７，・・・が凹溝２６，・・・に沿って開設されている。また、前記中間領域Ｍには、前記各外スリット２７，・・・より大径楕円形状の大径開口部２８が開設されており、該大径開口部２８の外周縁部には、円形の取付穴２９，・・・が四カ所に形成されている。
【００２８】
この起立部２１の背面には、図３及び図４に示すように、上縁部及び側縁部に支持突起３１が設けられており、上縁に設けられたフランジ２３の内側面及び側縁に設けられたフランジ２３の内側面には、内方に突出する係合部としての係止条３２，・・・が形成されている。前記下縁に形成された前記フランジ２３の端部には、上方に起立した起立壁３３，３３が一体形成されており、両起立壁３３，３３の中心側の側面には、前記起立壁３３，３３に沿って延在するＬ字リブ３４，３４が一体形成されている。
【００２９】
前記起立部２１に形成された前記取付穴２９，・・・には、図１に示したように、前記大径開口部２８を覆うカバー４１が取り付けられるように構成されている（図１中下部側の支持状態は省略）。
【００３０】
このカバー４１は、図５に示すように、前記大径開口部２８より大径の楕円形状に形成されており、中央部が外側に膨出したドーム型に形成されている。前記カバー４１の裏面には、当該カバー４１を支持する脚部４５，・・・が周縁部の四カ所に立設されており、各脚部４５，・・・の先端部には、小径部４６が形成されている。各小径部４６，・・・は、前記起立部２１の対応した取付穴２９，・・・に挿入された状態で固定されるように構成されている。
【００３１】
前記各脚部４５，・・・は、図１に示したように、前記取付穴２９に挿入して固定した状態で、前記カバー４１を前記起立部２１の前記前面２５より離間して配置できる長さ寸法に設定されており、前記カバー４１と前記前面２５との間に間隙５１を形成できるように構成されている。このカバー４１は、前記大径開口部２８が設けられた前記前面２５より突出した突出部を構成するように構成されている。
【００３２】
この起立部２１の下端部に取り付けられる前記載置部２２は、図６にも示すように、長方形状の底面２２ａと、該底面２２ａの前縁に起立した前面２２ｂと、前記底面２２ａの左右側縁に起立した相対向する側面２２ｃ，２２ｃと、前記底面２２ａの後縁に起立した背面７９とを備えており、上面が開口した箱形状の矩形容器状に形成されている。これにより、前記前面２２ｂと前記側面２２ｃ，２２ｃと前記背面７９とは連設され閉断面形状である断面ロ字状に形成されており、前記各面２２ｂ，２２ｃ，２２ｃ，７９が互いに補強し合うことによって剛性が高められている。
【００３３】
この載置部２２の前記両側面２２ｃ，２２ｃの前側には、内側に後退した後退面５５，５５が形成されている。これにより、当該載置部２２の前部には、幅寸法の狭い幅狭部５６が形成されている。該幅狭部５６での幅寸法は、前記起立部２１のフランジ２３間の寸法より小さく設定されており、当該幅狭部５６に前記起立部２１の下端部を外嵌できるように構成されている。
【００３４】
そして、この載置部２２は上面が開口しており、図１に示したように、前記各面２２ｂ，２２ｃ，２２ｃ，７９に包囲された挿入部５７が当該載置部２２に形成されている。これにより、前記薬剤収容容器１２を起立して配置した状態で、その下端部を前記挿入部５７へ挿入できるように構成されている。
【００３５】
前記後退面５５には、矩形状の切欠部６１が形成されており、前記載置部２２の底面６２には、矩形状の挿通穴６３，６３が前方の両角部に開設されている。これにより、前記起立部２１に当該載置部２２を取り付けた状態において、前記起立部２１に設けられた前記起立壁３３及び前記Ｌ字リブ３４を前記各挿通穴６３，６３に挿通できるように構成されている。
【００３６】
前記薬剤収容容器１２は、図７に示すように、薬剤７０を収容する容器本体７１を備えており、該容器本体７１は、図８及び図９に示すように、長方形状の底面７２と、該底面７２の周縁に起立した周壁７３とによって形成されている。該周壁７３の上縁には、側方に延出した側方フランジ部７４と、該側方フランジ部７４より下方に延出した延出部７５とが一体形成されており、折り返し形状の折返し部７６が形成されている。
【００３７】
この折返し部７６は、図１に示したように、起立状態にある前記薬剤収容容器１２の下端部を前記載置部２２の前記挿入部５７に挿入した状態で、前記起立部２１のフランジ２３内に内嵌されるように構成されている。また、この内嵌状態において、その前端が前記起立部２１に突設された支持突起３１に当接することによって挿入量が制限されるとともに、当該折返し部７６の延出部７５が前記起立部２１の前記フランジ２３に設けられた前記係止条３２，・・・と着脱自在に係合して抜け止めされるように構成されている。
【００３８】
前記底面７２の裏面には、図８に示しように、内側へ後退した後退部７７，７７が前記底面７２の周縁である各短辺に沿って形成されており、当該底面７２の裏面には、前記短辺に沿った段差部７８，７８が形成されている。
【００３９】
これにより、図１に示したように、起立状態にある前記薬剤収容容器１２の下端部を、前記載置部２２に設けられた前記挿入部５７に挿入した状態で、当該載置部２２の背面７９の上縁７９ａが前記段差部７８に当接するように、前記底面７２の周縁である各短辺から前記段差部７８，７８までの長さ寸法Ｌが設定されている（図１中に下方のみ図示）。
【００４０】
また、前記底面７２には、図７に示したように、各短辺寄りの二カ所に各短辺に沿って延在する第１仕切部としての平板状の第１仕切壁８１及び第２仕切部である平板状の第２仕切壁８２が平行し離間して立設されており、短辺側の周壁７３と前記第１仕切壁８１との間には、第１収容空間８３が形成されている。また、前記第１仕切壁８１と前記第２仕切壁８２との間には、第２収容空間８４が形成されており、前記第２仕切壁８２と前記短辺側の周壁７３との間には、第３収容空間８５が形成されている。
【００４１】
前記各収容空間８３〜８５には、前記薬剤７０が収容されており（一部のみ図示）、この薬剤７０は、芳香剤を含有した粒状部材８６，・・・と、消臭液を吸収した粒形状のゲル状部材８７，・・・とによって構成されている。
【００４２】
前記第１仕切壁８１は、図７において右寄りに配置されており、当該第１仕切壁８１の左端部には、当該第１仕切壁８１が欠損されてなる第１幅広欠損部９１が設定されている。これにより、前記第１仕切壁８１の左端と前記周壁７３との間には、前記薬剤７０を通過させる為の第１連通路９２が形成されている。
【００４３】
前記第１仕切壁８１の右端部には、当該第１仕切壁８１が欠損されてなる幅狭の第１幅狭欠損部９３が設定されている。これにより、前記第１仕切壁８１の左端と前記周壁７３との間には、空気を通流する為の第１幅狭連通路９４が形成されている。
【００４４】
前記第２仕切壁８２は、図７において左寄りに配置されており、当該第２仕切壁８２の右端部には、当該第２仕切壁８２が欠損されてなる第２幅広欠損部９５が設定されている。これにより、前記第２仕切壁８２の右端と前記周壁７３との間には、前記薬剤７０を通過させる為の第２連通路９６が形成されている。
【００４５】
前記第２仕切壁８２の左端部には、当該第２仕切壁８２が欠損されてなる幅狭の第２幅狭欠損部９７が設定されている。これにより、前記第２仕切壁８２の左端と前記周壁７３との間には、空気を通流する為の第２幅狭連通路９８が形成されている。
【００４６】
ここで、前記第１幅狭連通路９４の幅寸法と前記第２幅狭連通路９８の幅寸法は、前記薬剤７０を構成する前記粒状部材８６及び消臭液を吸収した粒形状のゲル状部材８７の粒径より狭く設定されているものとする。
【００４７】
この容器本体７１の中央部に位置する前記両仕切壁８１，８２の部位には、図８及び図９に示すように、円柱状の支柱部１０１，１０１が一体形成されており、各支柱部１０１，１０１の先端には、小径の小径部１０２，１０２が形成されている。
【００４８】
前記周壁７３を形成する各辺には、図７から図８に示すように、内側に突出する支持リブ１０５，・・・が底面７２から開口部側へ向けて延設されており、前記周壁７３を形成する各辺の上縁部には、上縁に沿って延在する凸条１０６，・・・が形成されている。各凸条１０６，・・・は、前記各支持リブ１０５上端より高位置に設定されており、前記各支持リブ１０５，・・・から前記凸条１０６，・・・までの範囲内に、前記支柱部１０１の前記小径部１０２が配置されるように構成されている。
【００４９】
また、前記薬剤収容容器１２は、図１０に示すように、前記容器本体７１の開口部を閉鎖する蓋部１１１を備えている。該蓋部１１１は、前記容器本体７１の開口部に内嵌する大きさの長方形板状に形成されており、その周縁には、上面側に突出する周縁フランジ１１２が全周に渡って形成されている。
【００５０】
また、この蓋部１１１には、短辺方向に延在する内スリット１１３，・・・が複数並設されており、前記容器本体７１内に収容された粒状の薬剤７０の飛び出しを防止しつつ、薬剤７０から揮発した蒸気を前記内スリット１１３，・・・及び前記起立部２１に設けられた外スリット２７，・・・及び大径開口部２８を介して外部へ放出できるように構成されている。これにより、前記薬剤収容容器１２の一面には、前記容器本体７１の開口部を閉鎖する前記蓋部１１１によって薬剤を揮散する為の揮散面１１４が設定されている。
【００５１】
この蓋部１１１の裏面には、円筒部１２１，１２１が二カ所に突設されており、当該蓋部１１１を前記容器本体７１に取り付けた状態で、各円筒部１２１，１２１に前記容器本体７１に立設された前記支柱部１０１，１０１の前記小径部１０２，１０２を挿入した状態で固定できるように構成されている。
【００５２】
以上の構成にかかる本実施の形態において、前記揮散器本体１１に薬剤収容容器１２をセットする際には、図１に示したように、前記薬剤収容容器１２の一面に設定された揮散面１１４を前記揮散器本体１１の起立部２１に対向して配置するとともに、この起立状態にある前記薬剤収容容器１２の下端部を、前記揮散器本体１１の載置部２２に設けられた挿入部５７へ挿入する。
【００５３】
このとき、前記薬剤収容容器１２における容器本体７１の底面７２には、図１に示したように、前記短辺に沿った段差部７８が形成されており、この段差部７８が前記載置部２２の背面７９の上縁７９ａに当接する。これにより、前記薬剤収容容器１２下端部の前記挿入部５７への挿入量を規制することができる。また、前記薬剤収容容器１２の折返し部７６が、図１１に示したように、前記載置部２２の後退面５５に形成された切欠部６１に縁に当接した状態で支持される。
【００５４】
これにより、このセット時において前記薬剤収容容器１２に設定された揮散面１１４と前記揮散器本体１１の前記起立部２１との上下方向への位置ズレを防止することができ、前記揮散面１１４と前記起立部２１とに位置ズレが生じ、揮散量が減少するといった不具合を確実に回避することができる。
【００５５】
次に、この下端部嵌合状態において、前記薬剤収容容器１２の折返し部７６を、前記揮散器本体１１の前記起立部２１に設けられたフランジ２３内に内嵌する。すると、図１２に示すように、前記薬剤収容容器１２の上端部を構成する折返し部７６の延出部７５が、前記起立部２１のフランジ２３に突設された係合部としての係止条３２を乗り越えて該係止条３２に係止される。
【００５６】
これにより、前記薬剤収容容器１２は、前記起立状態において、その下端部が前記挿入５７に挿入された状態で支持される一方、上端部が前記係止条３２に係合された状態で前記揮散器本体１１にセットされる。
【００５７】
一方、この揮散器本体１１から前記薬剤収容容器１２を取り外す際には、前記薬剤収容容器１２の折返し部７６および／又は前記起立部２１のフランジ２３を弾性変形して前記係止条３２を乗り越えさせることによって、起立状態にある薬剤収容容器１２の上端部と前記揮散器本体１１の前記起立部２１に設けられた係止条３２との係合を解除する。そして、前記薬剤収容容器１２の下端部を前記揮散器本体１１の前記挿入部５７から抜き取ることで、当該薬剤収容容器１２を、前記揮散器本体１１から取り外す。
【００５８】
このように、起立状態にある薬剤収容容器１２の下端部を、前記揮散器本体１１の載置部２２に設定された挿入部５７へ抜き差しするとともに、前記薬剤収容容器１２の上端部を、前記揮散器本体１１の起立部２１に設けられた係止条３２に係脱するだけで、前記薬剤収容容器１２を前記揮散器本体１１に脱着することができる。
【００５９】
このため、本体への容器体の着脱構造がねじによって構成された従来と比較して、前記薬剤収容容器１２の前記揮散器本体１１への着脱が容易となり、薬剤収容容器１２の交換作業を容易とすることができる。
【図面の簡単な説明】
【００６０】
【図１】本発明の一実施の形態を示す断面図である。
【図２】同実施の形態の起立部を示す正面図である。
【図３】図２のＡ−Ａ線に沿った断面図である。
【図４】同実施の形態の起立部を示す背面図である。
【図５】同実施の形態のカバーを示す図で、（ａ）はカバーの背面図であり、（ｂ）は同図（ａ）のＢ−Ｂ線に沿った断面図である。
【図６】同実施の形態の載置部を示す図で、（ａ）は載置部の平面図であり、（ｂ）は載置部の側面図である。
【図７】同実施の形態の容器本体を示す平面図である。
【図８】同実施の形態の容器本体の側面を示す一部断面図である。
【図９】同実施の形態の容器本体の正面を示す一部断面図である。
【図１０】同実施の形態の蓋部を示す図で、（ａ）は蓋部の平面図であり、（ｂ）は蓋部の側面を示す一部断面図である。
【図１１】図１の下端部を示す要部拡大図である。
【図１２】図１の上端部を示す要部拡大図である。
【符号の説明】
【００６１】
１    薬剤揮散器
１１    揮散器本体
１２    薬剤収容容器
２１    起立部
２２    載置部
２２ａ  底面
２２ｂ  前面
２２ｃ  側面
７９    背面
３２    係止条
７０    薬剤
７２    底面
７７    後退部
７８    段差部
【図１】
0004611136.tif 000002
【図２】
0004611136.tif 000003
【図３】
0004611136.tif 000004
【図４】
0004611136.tif 000005
【図５】
0004611136.tif 000006
【図６】
0004611136.tif 000007
【図７】
0004611136.tif 000008
【図８】
0004611136.tif 000009
【図９】
0004611136.tif 000010
【図１０】
0004611136.tif 000011
【図１１】
0004611136.tif 000012
【図１２】
0004611136.tif 000013